(57)【要約】【課題】透過照明構造が設けられていなくても、各押釦部の識別を容易に行えて、部品点数の増大を抑制出来る押しボタンスイッチの識別構造を提供する。【解決手段】スイッチケース１４内に第１，第２押釦部５ａ，５ｂが設けられると共に、弾性変形可能な薄板状シートで構成されるボタン表示パネル１７をスイッチケース１４に添着して、第１，第２押釦部５ａ，５ｂを覆うと共に、ボタン表示パネル１７の外側面側から押圧可能とする押しボタンスイッチの識別構造である。第１，第２押釦部５ａ，５ｂが、スイッチケース１４内に設けられて、第１押釦部５ａに対応するボタン表示パネル１７の第１押圧部１７ｂが隆起されて形成されると共に、第２押釦部５ｂに対応するボタン表示パネル１７の第２押圧部１７ｃが平坦に形成されている。【選択図】  図１
2005011686.tif 000002
【特許請求の範囲】
【請求項１】
スイッチケース内に押しボタンスイッチ本体が設けられると共に、弾性変形可能な薄板状シートで構成されるボタン表示パネルを前記スイッチケースに添着して、該押しボタンスイッチ本体を覆うと共に、前記押しボタンスイッチ本体を該ボタン表示パネルの外側面側から押圧可能とする押しボタンスイッチの識別構造であって、
前記少なくとも２つの押しボタンスイッチ本体が、前記スイッチケース内に設けられて、何れか少なくとも１つの押しボタンスイッチに対応する前記ボタン表示パネルの第１押圧部を隆起させて形成すると共に、他の何れか１つの押しボタンスイッチに対応する前記ボタン表示パネルの第２押圧部を平坦に形成することを特徴とする押しボタンスイッチの識別構造。
【請求項２】
前記ボタン表示パネルの周縁に沿って、前記スイッチケースの他面よりも一段隆起させた環状土手部を形成することにより、該ボタン表示パネルの平坦面を、前記スイッチケースの他面よりも高い位置となるように設定することを特徴とする押しボタンスイッチの識別構造。
【請求項３】
前記環状土手部の上端面は、前記ボタン表示パネルの上面よりも低くなるように設定されていることを特徴とする押しボタンスイッチの識別構造。
【請求項４】
前記第２押圧部は、前記ボタン表示パネルの他の一般面の厚さよりも薄い厚さを有して形成されていることを特徴とする請求項１乃至３のうち何れか一項記載の押しボタンスイッチの識別構造。
【発明の詳細な説明】
【０００１】
【発明の属する技術分野】
この発明は、主に、屋内，外作業で使用される車両に用いられる押しボタンスイッチに関し、特に、発光しなくても各種スイッチの位置が分かる押しボタンスイッチの識別構造に関する。
【０００２】
【従来の技術】
従来、図５及び図６に示すような押しボタンスイッチが知られている（例えば、特許文献１参照）。
【０００３】
まず、構成から説明すると、このような従来の押しボタンスイッチが設けられる建設機械等の操作装置１では、スイッチケース２の本体ケース２ａ内に収まるように、回路基板３が収納固定されている。
【０００４】
この回路基板３には、光源としての複数のＬＥＤ４…と、押しボタンスイッチとしての複数の押釦部５…とが、それぞれ別体で隣接配置されている。これらのＬＥＤ４…は、前記押釦部５…中心からそれぞれ所定距離Ｌ、オフセットされて配置されている。
【０００５】
また、この本体ケース２ａの前面開口部には、カバーフロント部材２ｂが設けられると共に、このカバーフロント部材２ｂの表面側には、弾性変形可能な薄板状シートで構成されるボタン表示パネル７が、添着されている。
【０００６】
更に、このカバーフロント部材の裏面側には、釦開口内に弾性部材９の脚部が固定されている。
【０００７】
このボタン表示パネル７には、前記各押釦部５…に対応して、各押釦部５の上面を覆うように、上方に膨出する押圧部８，８が、一体に形成されている。
【０００８】
これらの押圧部８，８の裏面側には、前記押釦部５との間に介在するように、前記弾性部材９によって支持された光調整部材１０がそれぞれ設けられている。
【０００９】
次に、この従来の押しボタンスイッチの識別構造の作用について説明する。
【００１０】
このように構成された従来の押しボタンスイッチの識別構造では、前記押圧部８の上方から、前記押釦部５を押圧すると、この押圧部８は、撓み変形して、前記光調整部材１０及び弾性部材９の一部を下方に向けて移動させることにより、この押釦部５の上端面に当接し、ＯＮ，ＯＦＦ操作が行われる。
【００１１】
また、前記ＬＥＤ４を点灯すると、照明光が前記光調整部材１０を通過する際に、調光及び減光されて、照明ムラが低減される。
【００１２】
【特許文献１】
特開２００３−７７３５９号公報（図１、図２［０００９］乃至［００２６］段落）
【００１３】
【発明が解決しようとする課題】
しかしながら、前記図５及び図６に示すような従来の押しボタンスイッチでは、前記ＬＥＤ４…が、所定距離Ｌだけ、それぞれ前記押釦部５…中心からオフセットされて配置されている。
【００１４】
このため、前記光調整部材１０を設けていて、照明ムラを完全に解消することは困難であった。
【００１５】
また、前記弾性部材９及び光調整部材１０を各押釦部５…毎に、各々設けなければならないので、部品点数が増えて、製造コストの増大が抑制出来ないといった問題もあった。
【００１６】
そこで、本発明の目的は、透過照明構造が設けられていなくても、各押釦部の識別を容易に行えて、部品点数の増大を抑制出来る押しボタンスイッチの識別構造を提供することにある。
【００１７】
【課題を解決するための手段】
本発明は、かかる問題点に着目してなされたもので、請求項１に係る発明では、スイッチケース内に押しボタンスイッチ本体が設けられると共に、弾性変形可能な薄板状シートで構成されるボタン表示パネルを前記スイッチケースに添着して、該押しボタンスイッチ本体を覆うと共に、前記押しボタンスイッチ本体を該ボタン表示パネルの外側面側から押圧可能とする押しボタンスイッチの識別構造であって、前記少なくとも２つの押しボタンスイッチ本体が、前記スイッチケース内に設けられて、何れか少なくとも１つの押しボタンスイッチに対応する前記ボタン表示パネルの第１押圧部を隆起させて形成すると共に、他の何れか１つの押しボタンスイッチに対応する前記ボタン表示パネルの第２押圧部を平坦に形成する押しボタンスイッチの識別構造を特徴としている。
【００１８】
このように構成された請求項１記載のものでは、前記第１押圧部が隆起されて形成されているので、前記平坦に形成された第２押圧部との差異を触感によって識別できる。
【００１９】
このため、夜間等、暗い場所でも、希望する押しボタンスイッチのＯＮ，ＯＦＦ操作を行えるので、透過照明構造等を簡略化又は省略出来、部品点数の増大を抑制出来る。
【００２０】
また、請求項２に記載されたものでは、前記ボタン表示パネルの周縁に沿って、前記スイッチケースの他面よりも一段隆起させた環状土手部を形成することにより、該ボタン表示パネルの平坦面を、前記スイッチケースの他面よりも高い位置となるように設定する押しボタンスイッチの識別構造を特徴としている。
【００２１】
このように構成された請求項２記載のものでは、前記環状土手部の内側に前記ボタン表示パネルの平坦面が、前記スイッチケースの他面よりも高い位置となるように設定されるので、まず、該スイッチケースの他面との差異を触感によって識別できる。
【００２２】
このため、更に、夜間等、暗い場所でも、前記ボタン表示パネルの位置が分かり、希望する押しボタンスイッチのＯＮ，ＯＦＦ操作を行えるので、操作性が向上する。
【００２３】
更に、請求項３に記載されたものでは、前記環状土手部の上端面は、前記ボタン表示パネルの上面よりも低くなるように設定されている押しボタンスイッチの識別構造を特徴としている。
【００２４】
このように構成された請求項３記載のものでは、前記環状土手部の上端面が、前記ボタン表示パネルの上面よりも低くなるように設定されている。
【００２５】
このため、前記ボタン表示パネルの上面に水が滞留する虞が少なく、排水性が良好である。
【００２６】
更に、請求項４に記載されたものでは、前記第２押圧部は、前記ボタン表示パネルの他の一般面の厚さよりも薄い厚さを有して形成されている請求項１乃至３のうち何れか一項記載の押しボタンスイッチの識別構造を特徴としている。
【００２７】
このように構成された請求項４記載のものでは、前記第２押圧部が、前記ボタン表示パネルの他の一般面の厚さよりも薄い厚さを有して形成されているので、他の一般面との差異を触感によって識別できる。
【００２８】
従って、夜間等、暗い場所でも、前記ボタン表示パネルの上で、第２押圧部の場所を特定出来、第２押釦部のＯＮ，ＯＦＦ操作を容易に行えるので、更に、操作性が良好である。
【００２９】
【発明の実施の形態１】
図１乃至図４は、この発明の実施の形態１の押しボタンスイッチの識別構造を示すものである。
【００３０】
なお、前記従来例と同一乃至均等な部分については、同一符号を付して説明する。
【００３１】
まず、構成から説明すると、この実施の形態１の押しボタンスイッチの識別構造は、図４に示すような産業機械である車両としてのパワーシャベル１１の運転席近傍に、設けられている操作装置１３に適用されるものであり、運転席に着座した乗員に対向するように車両前方側に設けられて、用いられるものを示している。
【００３２】
このような操作装置１３では、装置の外箱部分を形成するスイッチケース１４が、本体ケース１４ａ及び、この本体ケース１４ａの前側開口部１４ｂを略閉塞するように嵌着されるカバーフロント部材１４ｃとによって、主に構成されている。
【００３３】
このうち、前記本体ケース１４ａ内には、回路基板３が収納固定されている。
【００３４】
この回路基板３には、押しボタンスイッチ本体としての複数の第１押釦部５ａ，第２押釦部５ｂが、それぞれ一定距離離間されて、隣接配置されている。これらの第１，第２押釦部５ａ，５ｂは、各中心からそれぞれ所定距離Ｌ、オフセットされて配置されている。
【００３５】
また、この本体ケース２ａの前面開口部１４ｂに設けられたカバーフロント部材１４ｃの表面側には、他の平面部１４ｄよりも一段高く形成されて、操作ランド部１５が設けられている。
【００３６】
この操作ランド部１５には、ボタン表示パネル１７が、添着されて貼設される。
【００３７】
このボタン表示パネル１７は、弾性変形可能な構成樹脂材料製の薄板状シートで構成されていて、平坦な平坦面としての一般面１７ａ内に、上，下に一定間隔を置いて、第１押圧部１７ｂ，第２押圧部１７ｃが設けられている。
【００３８】
このボタン表示パネル１７の第１押圧部１７ｂは、前記第１押釦部５ａに対応する位置に、前記一般面１７ａと一体に形成されて、円形形状に隆起されて形成されている。
【００３９】
この実施の形態１の第１押圧部１７ｂは、他の前記一般面１７ａの厚さａよりも薄い厚さｃを有して形成されている。
【００４０】
また、前記第２押圧部１７ｃは、他の何れか１つの押しボタンスイッチである第２押釦部５ｂに対応する位置に、前記一般面１７ａと同一高さの外側面を有して平坦に形成されている。
【００４１】
更に、この実施の形態１の第２押圧部１７ｃは、他の前記一般面１７ａの厚さａよりも薄い厚さｂを有して形成されている。
【００４２】
また、この操作ランド部１５の周囲には、前記ボタン表示パネル１７の外周縁に沿って、前記スイッチケースの他面よりも一段隆起させれた環状の環状土手部１６が、略全周に渡って形成されている。
【００４３】
この実施の形態１の環状土手部１６の上端面１６ａは、図１に示すように、前記ボタン表示パネル１７の一般面１７ａ上面よりも低くなるように設定されている。
【００４４】
更に、このカバーフロント部材１４ｃには、前記第１，第２押圧部１７ｂ，１７ｃの裏面側に対応して、第１，第２挿通凹部１８，１９が、当接段差面部１８ａ，１９ａを各々有して筒孔状に形成されている。
【００４５】
これらの第１，第２挿通凹部１８，１９には、前記当接段差面部１８ａ，１９ａに当接される当接フランジ面部２０ａ，２１ａが一体に形成された透明合成樹脂製の第１，第２透光部材２０，２１が、摺動可能に挿通されて、前記第１，第２押圧部１７ｂ，１７ｃの裏面側と、前記第１，第２押釦部５ａ，５ｂとの間に各々介在されて、設けられている。
【００４６】
これらの第１，第２透光部材２０，２１は、円柱状の脚部２０ｂ，２１ｂを各々有して、これらの脚部２０ｂ，２１ｂの下端面２０ｃ，２１ｃを前記第１，第２押釦部５ａ，５ｂの上端面に突き当てることより、前記操作ランド部１５前面に添着されて、各前記第１，第２押釦部５ａ，５ｂを覆うボタン表示パネル１７の各第１，第２押圧部１７ｂ，１７ｃの外側面側からの押圧力を、前記各第１，第２押釦部５ａ，５ｂに伝達して押圧可能とするように構成されている。
【００４７】
次に、この実施の形態１の押しボタンスイッチの識別構造の作用について説明する。
【００４８】
この実施の形態１の押しボタンスイッチの識別構造では、前記第１押圧部１７ｂが隆起されて形成されているので、前記平坦に形成された第２押圧部１７ｃとの差異を触感によって識別できる。
【００４９】
このため、夜間等、暗い場所でも、前記第１，第２押釦部５ａ，５ｂのうち、希望する押しボタンスイッチを手探りで探し当てて、ＯＮ，ＯＦＦ操作を行える。従って、透過照明構造等を簡略化又は省略出来、部品点数の増大を抑制出来る。
【００５０】
また、前記環状土手部１６の内側に前記ボタン表示パネル１７の一般面１７ａが、前記スイッチケース１４のカバーフロント部材１４ｃの他の平面部１４ｄよりも高い位置となるように設定されるので、まず、このスイッチケース１４の平面部１４ｄとの差異を触感によって識別して、前記操作ランド部１５内のボタン表示パネル１７を探り当ててから、前記第１押圧部１７ｂ又は第２押圧部１７ｃを探すことができる。
【００５１】
このように、夜間等、暗い場所でも、前記ボタン表示パネル１７の位置が分かり、希望する押しボタンスイッチのＯＮ，ＯＦＦ操作を行えるので、更に、操作性が向上する。
【００５２】
更に、前記環状土手部１６の上端面１６ａが、前記ボタン表示パネル１７の一般面１７ａの上面よりも低くなるように設定されている。
【００５３】
このため、前記ボタン表示パネル１７の上面に水が滞留する虞が少なく、排水性が良好である。
【００５４】
また、この実施の形態１では、前記第２押圧部１７ｃが、前記ボタン表示パネル１７の他の一般面１７ａの厚さａよりも薄い厚さｂを有して形成されているので、これらの一般面１７ａ上面をなぞるように指の腹で探ることにより、この第２押圧部１７ｃにさしかかると、凹む触感を得られる。
【００５５】
このように、他の一般面１７ａとの差異を触感によって識別できるため、夜間等、暗い場所でも、前記ボタン表示パネル１７の上で、第２押圧部１７ｃの場所を特定出来、第２押釦部１７ｃのＯＮ，ＯＦＦ操作を容易に行えるので、更に、操作性が良好である。
【００５６】
以上、図面を参照して、本発明の実施の形態１の押しボタンスイッチの識別構造を詳述してきたが、具体的な構成は、この実施の形態１に限らず、本発明の要旨を逸脱しない程度の設計的変更は、本発明に含まれる。
【００５７】
例えば、前記実施の形態１では、透光照明構造を採用しない操作装置１３を用いて前記押しボタンスイッチの識別構造を説明してきたが、特にこれに限らず、例えば、前記脚部２０ｂ，２１ｂの下端面２０ｃ，２１ｃに対向する位置で、しかも、前記第１，第２押釦部５ａ，５ｂの先端部に、ＬＥＤ収納用凹部を形成して、各々光源としてのＬＥＤを装着することも出来る。
【００５８】
この場合、前記第１，第２透光部材２０，２１を介して、前記第１押圧部１７ｂ及び第２押圧部１７ｃを裏面側から照明ムラを発生させることなく、透過照明することができる。
【００５９】
【発明の効果】
上述してきたように、請求項１記載のものでは、前記第１押圧部が隆起されて形成されているので、前記平坦に形成された第２押圧部との差異を触感によって識別できる。
【００６０】
このため、夜間等、暗い場所でも、希望する押しボタンスイッチのＯＮ，ＯＦＦ操作を行えるので、透過照明構造等を簡略化又は省略出来、部品点数の増大を抑制出来る。
【００６１】
また、請求項２に記載されたものでは、前記環状土手部の内側に前記ボタン表示パネルの平坦面が、前記スイッチケースの他面よりも高い位置となるように設定されるので、まず、該スイッチケースの他面との差異を触感によって識別できる。
【００６２】
このため、更に、夜間等、暗い場所でも、前記ボタン表示パネルの位置が分かり、希望する押しボタンスイッチのＯＮ，ＯＦＦ操作を行えるので、操作性が向上する。
【００６３】
更に、請求項３に記載されたものでは、前記環状土手部の上端面が、前記ボタン表示パネルの上面よりも低くなるように設定されている。
【００６４】
このため、前記ボタン表示パネルの上面に水が滞留する虞が少なく、排水性が良好である。
【００６５】
また、請求項４に記載されたものでは、前記第２押圧部が、前記ボタン表示パネルの他の一般面の厚さよりも薄い厚さを有して形成されているので、他の一般面との差異を触感によって識別できる。
【００６６】
従って、夜間等、暗い場所でも、前記ボタン表示パネルの上で、第２押圧部の場所を特定出来、第２押釦部のＯＮ，ＯＦＦ操作を容易に行えるので、更に、操作性が良好である、という実用上有益な効果を発揮する。
【図面の簡単な説明】
【図１】本発明の実施の形態１の押しボタンスイッチの識別構造で、要部の構成を説明する拡大断面図である。
【図２】実施の形態１の押しボタンスイッチの識別構造で、操作装置の一部にもうけられた押しボタンスイッチの正面図である。
【図３】実施の形態１の押しボタンスイッチの識別構造で、図２中Ａ−Ａ線に沿った位置での断面図である。
【図４】実施の形態１の押しボタンスイッチの識別構造が設けられた操作装置を搭載するパワーシャベルの側面図である。
【図５】従来例の操作装置の斜視図である。
【図６】従来例の操作装置で、図５中Ｂ−Ｂ線に沿った位置での断面図である。
【符号の説明】
押しボタンスイッチ本体
５ａ            第１押釦部
５ｂ            第２押釦部
１４            スイッチケース
１４ｄ          他の平面部（他面）
１５            ランド部
１６            環状土手部
１６ａ          上端面
１７            ボタン表示パネル
１７ａ          一般面（平坦面）
１７ｂ          第１押圧部
１７ｃ          第２押圧部
【図１】
2005011686.tif 000003
【図２】
2005011686.tif 000004
【図３】
2005011686.tif 000005
【図４】
2005011686.tif 000006
【図５】
2005011686.tif 000007
【図６】
2005011686.tif 000008